(57)【要約】【課題】吃音者の発する音声を一定時間遅延させて出力する音声遅延処理機能、および吃音の対象となる話し初めの語もしくは言葉の文字を音声変換して出力する発話リード処理機能の双方の機能を兼ね備えた吃音発話リード装置の提供。【解決手段】収音器３０Ｂから吃音者の発する音声に応じた音声信号を入力し、該音声信号を一定時間遅延させて音声再生器３０Ａに出力する音声遅延手段２０Ａを備える吃音発話リード装置であり、文字入力手段２Ａと、前記文字入力手段により文字入力された吃音の対象となる話し初めの語もしくは言葉の入力データに基づき該語もしくは言葉の音声信号を生成して前記音声再生器に出力する発話リード手段２０Ｂとを具備する。【選択図】図５
2005156656.tif 000002
【特許請求の範囲】
【請求項１】
収音器から吃音者の発する音声に応じた音声信号を入力し、該音声信号を一定時間遅延させて音声再生器に出力する音声遅延手段を備える吃音発話リード装置であり、
文字入力手段と、
前記文字入力手段により文字入力された吃音の対象となる話し初めの語もしくは言葉の入力データに基づき該語もしくは言葉の音声信号を生成して前記音声再生器に出力する発話リード手段と
を具備する吃音発話リード装置。
【請求項２】
発音を指示する発音手段をさらに具備し、前記発話リード手段は、発音手段からの発音指示に応じて前記語の入力データに基づき該語の音声信号を生成して前記音声再生器に出力することを特徴とする請求項１に記載の吃音発話リード装置。
【請求項３】
表示手段と、登録を指示する登録手段と、呼出しを指示する呼出手段と、発音を指示する発音手段とをさらに具備し、前記発話リード手段は、前記言葉を表示手段に表示すると共に、登録手段からの登録指示に応じて該言葉の入力データを登録し、呼出手段からの呼出指示に応じて前記言葉を表示手段に表示すると共に、発音手段からの発音指示に応じて該言葉の入力データに基づき当該言葉の音声信号を生成して前記音声再生器に出力することを特徴とする請求項１に記載の吃音発話リード装置。
【請求項４】
前記収音器と音声再生器は電気ケーブルを介して電気的に接続されており、前記音声遅延手段は電気ケーブルを介して収音器から入力した音声信号を一定時間遅延させて音声再生器に出力し、前記発話リード手段は前記文字入力された語もしくは言葉の音声信号を電気ケーブルを介して音声再生器に出力することを特徴とする請求項１ないし３の何れかに記載の吃音発話リード装置。
【請求項５】
前記音声遅延手段から一定時間遅延させた音声信号を入力して記憶媒体に記憶すると共に、該記憶媒体に記憶させた音声信号を読み取って前記音声再生器に出力する記憶媒体駆動手段をさらに具備することを特徴とする請求項１ないし４の何れかに記載の発話リード装置。
【請求項６】
前記吃音者の発する音声に応じた音声信号を入力するための第２の収音器と、前記語もしくは言葉の音声信号を出力するための第２の音声再生器とをさらに具備することを特徴とする請求項１ないし５の何れかに記載の発話リード装置。
【請求項７】
携帯電話器を通信ケーブルを介して前記音声遅延手段と電気的に接続する接続端子をさらに具備することを特徴とする請求項１ないし６の何れかに記載の吃音発話リード装置。
【請求項８】
固定電話器を通信ケーブルを介して前記音声遅延手段と電気的に接続する接続端子をさらに具備することを特徴とする請求項１ないし７の何れかに記載の吃音発話リード装置。
【請求項９】
記録媒体に記録させた音声や楽音などのデータを再生して前記音声再生器または第２の音声再生器に出力する記録媒体駆動手段をさらに具備することを特徴とする請求項１ないし８の何れかに記載の吃音発話リード装置。
【発明の詳細な説明】
【技術分野】
【０００１】
本発明は、吃音者の発する音声を遅延させて出力する音声遅延処理機能と、吃音の対象となる話し初めの語もしくは言葉の文字を音声変換して出力する発話リード処理機能の双方の機能を兼ね備えた吃音発話リード装置に関する。
【背景技術】
【０００２】
通常、吃音のない人は、口から声（音声）を発したとき空気を伝わって内耳に至る空気伝導の声に焦点を合わせて喋りをするといわれており、吃音のある人は、口から声を発したとき体の中から直接頭蓋骨を伝わって内耳に至る骨伝導の声すなわち骨伝導によるわずかな振動に焦点を合わせて喋りをするといわれている。
【０００３】
つまり、吃音者は、吃音を恐れて「口から出した空気伝導の声」を聞くのではなく、話そうとしたとき、骨伝導として伝わる生体のわずかな振動に注意を向け、言葉が出そうかどうかのチェックを行ない、口や唇、喉、呼吸などの発語器官を意識的に調整して喋ろうとしている。すなわち、「先に口から出した空気伝導の声」を聞くのではなく、「これから出そうとする骨伝導の声」を聞こうとしている。
【０００４】
このため、吃音者のほとんどは話し初めの語（以下、初語と記す）と初語から２番目の語を続けて発語することができない。例えば、「おはよう」と言う際の「お」の発語が困難であったり、「お」を何度も繰り返し２番目の語にスムーズにつなげて発語することができない。
【０００５】
吃音症状を除去・軽減できる訓練法として、例えば次の２つの訓練法が知られている。１つは、吃音者は、他者と一斉に発語したり、他者の発語に続いて復唱すると、他者の発語が自分の発語のリード的役目を果たすことから、スムーズに発語することができることが分かっている。他の１つは、吃音者は、音声遅延装置（ＤＡＦ（Ｄｅｌａｙｅｄ  Ａｕｄｉｔｏｒｙ  Ｆｅｅｄｂａｃｋ）装置）を使用して、自分の発語した声を一定の遅延後に聞きながら発語すると流暢に発語できることが分かっている（非特許文献１参照）。
【非特許文献１】ＮＰＯ（特定非営利活動）法人、吃音協会、[ｏｎｌｉｎｅ]、[平成１５年８月２９日検索]、インターネット<ＵＲＬ：ｈｔｔｐ／／：ｍｉｔｏ．ｃｏｏｌ．ｎｅ．ｊｐ／ｓｔｕｔｓｔｕｄｅｎｔ／ｉｎｄｅｘ．ｈｔｍ>
【発明の開示】
【発明が解決しようとする課題】
【０００６】
上記の音声遅延装置を用いた訓練法では、吃音者は遅れてくる自分の声を聞きながら発語訓練をするけれども、話し初めの初語を発語する際、リード役の遅延してくる自分の声がないために初語の発語がとても困難であるという問題があった。
【０００７】
本発明は、吃音者は他者と一緒に発語する時や他者の後を続いて発語する時はスムーズに発語できることに着目して為されたものであり、吃音者の発する音声を一定時間遅延させて出力する音声遅延処理機能、および吃音の対象となる話し初めの語もしくは言葉の文字を音声変換して出力する発話リード処理機能の双方の機能を兼ね備えた吃音発話リード装置を提供しようとするものである。
【課題を解決するための手段】
【０００８】
本発明は下記の構成を特徴とする吃音発話リード装置である。
【０００９】
（１）収音器から吃音者の発する音声に応じた音声信号を入力し、該音声信号を一定時間遅延させて音声再生器に出力する音声遅延手段を備える吃音発話リード装置であり、
文字入力手段と、
前記文字入力手段により文字入力された吃音の対象となる話し初めの語もしくは言葉の入力データに基づき該語もしくは言葉の音声信号を生成して前記音声再生器に出力する発話リード手段と
を具備する吃音発話リード装置。
【００１０】
（２）発音を指示する発音手段をさらに具備し、前記発話リード手段は、発音手段からの発音指示に応じて前記語の入力データに基づき該語の音声信号を生成して前記音声再生器に出力することを特徴とする（１）に記載の吃音発話リード装置。
【００１１】
（３）表示手段と、登録を指示する登録手段と、呼出しを指示する呼出手段と、発音を指示する発音手段とをさらに具備し、前記発話リード手段は、前記言葉を表示手段に表示すると共に、登録手段からの登録指示に応じて該言葉の入力データを登録し、呼出手段からの呼出指示に応じて前記言葉を表示手段に表示すると共に、発音手段からの発音指示に応じて該言葉の入力データに基づき当該言葉の音声信号を生成して前記音声再生器に出力することを特徴とする（１）に記載の吃音発話リード装置。
【００１２】
（４）前記収音器と音声再生器は電気ケーブルを介して電気的に接続されており、前記音声遅延手段は電気ケーブルを介して収音器から入力した音声信号を一定時間遅延させて音声再生器に出力し、前記発話リード手段は前記文字入力された語もしくは言葉の音声信号を電気ケーブルを介して音声再生器に出力することを特徴とする（１）ないし（３）の何れかに記載の吃音発話リード装置。
【００１３】
（５）前記音声遅延手段から一定時間遅延させた音声信号を入力して記憶媒体に記憶すると共に、該記憶媒体に記憶させた音声信号を読み取って前記音声再生器に出力する記憶媒体駆動手段をさらに具備することを特徴とする（１）ないし(４)の何れかに記載の発話リード装置。
【００１４】
(６)前記吃音者の発する音声に応じた音声信号を入力するための第２の収音器と、前記語もしくは言葉の音声信号を出力するための第２の音声再生器とをさらに具備することを特徴とする（１）ないし（５）の何れかに記載の発話リード装置。
【００１５】
（７）携帯電話器を通信ケーブルを介して前記音声遅延手段と電気的に接続する接続端子をさらに具備することを特徴とする（１）ないし（６）の何れかに記載の吃音発話リード装置。
【００１６】
（８）固定電話器を通信ケーブルを介して前記音声遅延手段と電気的に接続する接続端子をさらに具備することを特徴とする（１）ないし（７）の何れかに記載の吃音発話リード装置。
【００１７】
（９）記録媒体に記録させた音声や楽音などのデータを再生して前記音声再生器または第２の音声再生器に出力する記録媒体駆動手段をさらに具備することを特徴とする（１）ないし（８）の何れかに記載の吃音発話リード装置。
【発明の効果】
【００１８】
即ち、発話リード手段では、文字入力手段から吃音者自身が文字入力した吃音の対象となる話し初めの語もしくは言葉の音声を生成して音声再生器に出力する。音声再生器で再生された音声は上記の語もしくは言葉のリード的役割を果たすことから、吃音者は自分の苦手な吃音の対象となる語もしくは言葉を、あたかも他者と一緒に発語する時や他者の後を続いて発語する時のようにスムーズに発語することができる。
【００１９】
音声遅延手段では、吃音者の発語した声を一定の遅延後に音声再生器に出力するので、吃音者は自分の発語した声を聞きながら流暢に発語できる。
【００２０】
携帯電話器もしくは固定電話器を通信ケーブルおよび接続端子を介して音声遅延手段に接続すれば、吃音者は、携帯電話器もしくは固定電話器を使用する前は、発話リード手段による発話リード機能を用いることで上記の語もしくは言葉の音声を音声再生器で聞きながら発声でき、携帯電話器もしくは固定電話器を使用するときは、音声遅延手段による音声遅延機能を用いることで遅延した自分の声を音声再生器で聞きながら該携帯電話器もしくは固定電話器の相手と会話することができる。
【００２１】
上記の語もしくは言葉の音声信号を第２の音声再生器に出力できるので、訪問先のインターホンでの上記語もしくは言葉の発語、あるいは携帯電話器もしくは固定電話器での上記語もしくは言葉の発語の困難を避けることができる。
【００２２】
記憶媒体駆動手段を駆動させることによって、自分の声を記憶媒体に記憶でき、該記憶媒体に記憶させた声を音声再生器または第２の音声再生器で聞くことができるので、自宅で見本の練習文を聞きながら後をついて復習する練習（シャドーイング練習）や、自分の声を記録媒体に記憶させてフィードバックさせることで上記の練習効果を確かめることができる。
【００２３】
記録媒体駆動手段を駆動することによって、記録媒体に記録された音声や楽音などのデータを音声再生器または第２の音声再生器で聞くことができる。
【発明を実施するための最良の形態】
【００２４】
本発明の実施の形態を添付図面に基づいて更に詳しく説明する。
【実施例１】
【００２５】
（１）吃音発話リード装置例
図１は吃音発話リード装置の一例を示し、キーボード部に対して表示部を開けた状態を示す外観斜視図である。図２はキーボード部のキー配列を示す平面図、図３はキーボード部の携帯電話器接続用の接続端子を示す図、図４はキーボード部の固定電話器接続用の接続端子を示す図である。
【００２６】
図１において、装置ユニット１は、キーボード部２と、該キーボード部の一辺にヒンジ部３を介して開閉自在に連結された表示部４などからなる。本例の装置ユニット１は、表示部４を完全に閉じた形態で例えばＢ７版からＡ６版（官製はがきサイズ）サイズとなる大きさであり、携帯可能である。
【００２７】
キーボード部２は、図２に示されるように、その上面に文字入力手段としての文字入力キー２Ａと、登録手段としての登録キー２Ｂと、呼出手段としての呼出キー２Ｃと、例文キー２Ｄと、保存キー２Ｅと、カーソルキー２Ｆと、発音指示手段としての発音キー２Ｇと、電源キー２Ｈなどを有する。文字入力キー２Ａは、日本語入力に必要な複数のキーからなり、図示例では日本語入力キーとして、１つの平仮名を１つのキーに割り当てた５０音順のキー群２Ａ１と、濁音／拗音選択キー２Ａ２と、漢字／仮名変換キー２Ａ３と、小文字変換キー２Ａ４などを有する。
【００２８】
キーボード部２の前面には、第２の収音器としての外部マイクロフォン５と、接続端子としてのマイク・イヤフォンジャック６と、音量調整手段としての音量調整キー７と、遅延速度調整手段としての遅延速度調整キー８と、記憶媒体としてメモリカード９Ａを駆動する記憶媒体駆動手段としてのメモリカード駆動装置９と、録音指示キーと再生指示キーなどからなる操作キー１０などを有する。マイク・イヤフォンジャック６には、図３に示されるように、マイク付きイヤフォン３０が電気的に接続される。マイク付きイヤフォン３０は、音声再生器としてのイヤフォン３０Ａと収音器としてのマイクロフォン３０Ｂとを電気ケーブル３０Ｃを介して接続してなり、該電気ケーブルの自由端に設けられたプラグ３０Ｄがマイク・イヤフォンジャック６に接続される。音量調整キー７は、マイク付きイヤフォン１０のイヤフォン１０Ａあるいは後述のスピーカ４Ｂの出力音の音量調整に用いられる。遅延速度調整キー８は、音声遅延処理の速度調整に用いるものであり、例えば、０．０１２、０．０２、０．０５、０．０７５、０．１、０．１５、０．２秒の６段階の速度調整が可能である。メモリカード駆動装置９は、メモリカード９Ａに自分の声を録音させる録音指示と再生指示を行なう場合、および該メモリカードに録音した声を再生する場合に用いられる。操作キー１０の録音指示キーは、メモリカード駆動装置９を録音駆動する場合に用いられる。また操作キー１０の再生指示キーは、メモリカード駆動装置９を再生駆動する場合、および後述の記録媒体駆動手段としてのミニディスク駆動装置（以下「ＭＤ駆動装置」と記す）１１を駆動する場合に用いられる。
【００２９】
左側面には、記録媒体としてミニディスク（以下「ＭＤ」と記す）１１Ａを駆動するＭＤ駆動装置１１と、携帯電話器Ａの通信ケーブルＡ１と接続する接続端子１２などを有する。ＭＤ駆動装置１１は、ＭＤ１１Ａに記憶された音声や楽音などの任意にデータ再生に用いられる。
【００３０】
そして、背面には、図４に示されるように、固定電話器Ｂの通信ケーブルＢ１を接続する接続端子１３有する。
【００３１】
表示部４は、表示手段としての液晶ディスプレイ４Ａと、第２の音声再生器としてのスピーカ４Ｂなどを有する。
【００３２】
図５に吃音発話リード装置のハード構成のブロック図を示す。
【００３３】
符号２０はＣＰＵとＲＯＭ及びＲＡＭなどのメモリとからなるＭＰＵ（マイクロプロセッサユニット）により構成された制御部であり、音声遅延手段としての信号遅延処理部２０Ａと、発話リード手段としてのテキスト読み上げ処理部２０Ｂなどを備える。メモリ（ＲＯＭ）には、遅延速度調整キー８の速度調整に応じて音声信号の遅延処理を実行する音声遅延処理プログラム、文字入力キー２Ａから入力される１つの語、もしくは複数の語からなる言葉や文章などの入力データ（文字データ）を任意の文字−音声変換テーブルもしくは演算処理によって音声データに変換して音声信号を生成したり、予め入力された定型文のデータに基づいて音声信号を生成したりするテキスト読み上げプログラム、および吃音発語リード装置の動作に必要な各種プログラムなどが記憶されている。
【００３４】
本例の吃音発話リード装置は、携帯型の装置ユニット１を吃音者自身が携行して使用するものであり、該装置ユニットの電源キー２Ｈの「入」動作（オン動作）により電源部（充電器もしくは充電池）２１は各部に給電し、これによって装置ユニットは使用可能となる。
【００３５】
吃音者は、音声遅延機能を使用する場合、装置ユニット１のマイク・イヤフォンジャック６にマイク付きイヤフォン３０のプラグ３０Ｄを接続する。発話リード機能を使用する場合には、自分の苦手な吃音の対象となる話し初めの語（初語）もしくは言葉を文字入力キー２Ａから入力する。マイク付きイヤフォン３０は必要に応じて装置ユニット１のマイク・イヤフォンジャック６に接続すればよい。
【００３６】
（２）テキスト読み上げ処理部２０Ｂによる発話リード処理の説明
図６に吃音の対象となる話し初めの語（初語）の発話リード処理のフローチャート図を示す。
【００３７】
Ｓ１では、文字入力キー２Ａから上記の語が文字入力されると、その語の文字入力キーから出力信号を入力してＳ２に進む。
【００３８】
Ｓ２では、文字入力キーから入力した信号に基づいて上記語に対応した文字データ（以下、テキストデータと記す）を生成してＳ３に進む。
【００３９】
Ｓ３では、発音キー２Ｇから発音指示信号を入力した場合（ＹＥＳ）にＳ４に進む。
【００４０】
Ｓ４では、Ｓ２で生成したテキストデータを音声データに変換し、その音声データに基づいて音声信号を生成しマイク・イヤフォンジャック６およびスピーカ４Ｂに出力する。
【００４１】
上述の発話リード処理によって、吃音者は、マイク・イヤフォンジャック６にマイク付きイヤフォン３０が接続されていれば自分の苦手な吃音の対象となる話し初めの語をイヤフォン３０Ａで聞くことができ、マイク付きイヤフォン３０が接続されていなければ自分の苦手な吃音の対象となる話し初めの語をスピーカ４Ｂで聞くことができるので、その語に続いて発語すれば上記の語をスムーズに発語することができる。イヤフォン３０Ａで再生される音声の音量は音量調整キー７によって調整できる。
【００４２】
図７に吃音の対象となる言葉の発話リード処理のフローチャート図を示し、図８に文字入力キーから文字入力される言葉を液晶ディスプレイ４Ａに表示させたイメージ図を示す。
【００４３】
Ｓ１１では、文字入力キー２Ａから吃音の対象となる言葉として例えば「営業部の加藤さんをお願いします」と文字入力されたとすると、その言葉の語に対応する文字入力キーから出力信号を入力してＳ１２に進む。
【００４４】
Ｓ１２では、文字入力キーから入力した信号に基づいて上記言葉に対応した文字データ（以下、テキストデータと記す）を生成すると共に、液晶ディスプレイ４Ａに文字入力した言葉を表示（図８参照）してＳ１３に進む。
【００４５】
Ｓ１３では、登録キー２Ｂから登録指示信号を入力した場合（ＹＥＳ）にＳ１４に進む。
【００４６】
Ｓ１４では、上記言葉のテキストデータを登録テキストデータとしてメモリ（ＲＡＭ）に記憶する。
【００４７】
Ｓ１５では、呼出キー２Ｃから呼出指示信号を入力した場合（ＹＥＳ）にＳ１６に進む。
【００４８】
Ｓ１６では、登録テキストデータをメモリから呼び出すと共に、登録された言葉を液晶ディスプレイ４Ａに表示（図８参照）してＳ１７に進む。
【００４９】
Ｓ１７では、液晶ディスプレイ４Ａに表示された言葉がカーソルキー２Ｆにより選択されて発音キー２Ｇから発音指示信号を入力した場合（ＹＥＳ）にＳ１８に進む。
【００５０】
Ｓ１８では、Ｓ１７で選択された言葉に対応する登録テキストデータを音声データに変換し、その音声データに基づいて音声信号を生成しマイク・イヤフォンジャック６およびスピーカ４Ｂに出力する。
【００５１】
上述の発話リード処理によって、吃音者は、マイク・イヤフォンジャック６にマイク付きイヤフォン３０が接続されていれば自分の苦手な吃音の対象となる言葉をイヤフォン３０Ａで聞くことができ、マイク付きイヤフォン３０が接続されていなければ自分の苦手な吃音の対象となる言葉をスピーカ４Ｂで聞くことができるので、その言葉に続いて発語すれば上記の語をスムーズに発語することができる。
【００５２】
（３）信号遅延処理部２０Ａによる音声遅延処理の説明
マイク・イヤフォンジャック６に接続されたマイク付きイヤフォン３０のマイクロフォン３０Ｂは、吃音者の発した音声を収音して当該音声に応じた音声信号を電気ケーブル３０Ｃを介して信号遅延処理部２０Ａに出力する。信号遅延処理部２０Ａは、その音声信号を入力し、該音声信号を遅延速度調整キー８により速度調整された一定の遅延速度で遅延処理してマイク・イヤフォンジャック６に出力する。マイク付きイヤフォン３０のイヤフォン３０Ａは、マイク・イヤフォンジャック６および電気ケーブル３０Ｃを介して入力した音声信号を音声再生する。
【００５３】
上記の音声遅延処理によって、吃音者は、自分の発した声を一定の遅延後にイヤフォン３０Ａで聞きながら発語できるので流暢な発語が可能となる。
【００５４】
（４）その他の機能
（４−１）自由文発話リード機能
テキスト読み上げ処理部２０Ｂは、文字入力キー２Ａから任意の文章（自由文、たとえば勤務先の住所、会社名など）が文字入力されると、その文章の語に対応する文字入力キーから出力信号を入力し、その信号に基づいて上記文章に対応したテキストデータを生成すると共に、液晶ディスプレイ４Ａに文字入力した文章を表示し、保存キー２Ｅから出力される信号に基づいてそのテキストデータをメモリ（ＲＡＭ）に記憶する。そして、呼出キー２Ｃから呼出指示信号を入力すると、メモリ（ＲＡＭ）から保存した文章を呼び出して液晶ディスプレイ４Ａに表示する。液晶ディスプレイ４Ａに表示された文章がカーソルキー２Ｆにより選択されて発音キー２Ｇから発音指示信号を入力すると、その選択された文章に対応するテキストデータを音声データに変換し、その音声データに基づいて音声信号を生成しマイク・イヤフォンジャック６およびスピーカ４Ｂに出力する。
【００５５】
（４−２）定型文発話リード機能
テキスト読み上げ処理部２０Ｂの他のメモリ（ＲＯＭ）には日常的に用いられる挨拶や応答などの多数の定型文のテキストデータが予め記憶されており、テキスト読み上げ処理部２０Ｂは、例文キー２Ｄからの出力信号に基づいて定型文のテキストデータをメモリから取り込み、その取り込んだ定型文の内容を液晶ディスプレイ４Ａに表示する。液晶ディスプレイ４Ａに表示された定型文がカーソルキー２Ｆにより選択されて発音キー２Ｇから発音指示信号を入力すると、その選択された定型文に対応するテキストデータを音声データに変換し、その音声データに基づいて音声信号を生成しマイク・イヤフォンジャック６およびスピーカ４Ｂに出力する。
【００５６】
（４−３）メモリカード駆動装置９による録音・再生機能
本例に示す吃音発話リード装置では、テキスト読み上げ処理部２０Ｂは、操作キー１０の録音指示キーからの録音指示信号に応じてメモリカード駆動装置９を録音駆動し、再生指示キーからの再生指示信号に応じてメモリカード駆動装置９を再生駆動する。これによって、吃音者は、メモリカード駆動装置９を録音駆動してマイクロフォン３０Ｂまたは外部マイクロフォン５から入力した自分の声をメモリカード９Ａに記憶でき、再生駆動して該メモリカードに記憶させた声をイヤフォン３０Ａまたはスピーカ４Ｂで聞きことができる。これにより、自宅で見本の練習文を聞きながら後をついて復習する練習（シャドーイング練習）や、自分の声をメモリカード９Ａに記憶してフィードバックさせることで上記の練習効果を確かめることができる。
【００５７】
（４−４）携帯電話器Ａまたは固定電話器Ｂとの接続機能
接続端子１２には携帯電話器Ａを通信ケーブルＡ１を介して電気的に接続でき、接続端子１３には固定電話器Ｂを通信ケーブルＢ１を介して電気的に接続できる。これによって、吃音者は、携帯電話器Ａもしくは固定電話器Ｂを使用する前は、テキスト読み上げ処理部２０Ｂによる発話リード機能を用いることで上記の語もしくは言葉の音声を聞きながら発声でき、携帯電話器もしくは固定電話器を使用するときは、信号遅延処理部２０Ａによる音声遅延機能を用いることで遅延した自分の声をイヤフォン３０Ａで聞きながら該携帯電話器もしくは固定電話器の相手と会話することができる。
【００５８】
（４−５）ＭＤ駆動装置１１の再生機能
ＭＤ駆動装置１１は、操作キー１０の再生指示キーからの再生指示信号に応じてＭＤ１１Ａを駆動することによって、ＭＤに記録されている音声や楽音などのデータを再生してイヤフォン３０Ａまたはスピーカ４Ｂに出力する。これにより音声や楽音などを聞くことができる。
【図面の簡単な説明】
【００５９】
【図１】吃音発話リード装置の一例を示し、キーボード部に対して表示パネル部を開けた状態を示す外観斜視図
【図２】キーボード部のキー配列を示す平面図
【図３】キーボード部の携帯電話器接続用の接続端子を示す図
【図４】キーボード部の固定電話器接続用の接続端子を示す図
【図５】吃音発話リード装置のハード構成のブロック図
【図６】吃音の対象となる話し初めの語の発話リード処理のフローチャート図
【図７】吃音の対象となる言葉の発話リード処理のフローチャート図
【図８】文字入力キーから文字入力した言葉を液晶ディスプレイに表示させたイメージ図
【符号の説明】
【００６０】
１：装置ユニット、２キーボード部、４：表示部、４Ｂ：スピーカ、
４Ａ：液晶ディスプレイ、５：外部マイクロフォン、
６：マイク・イヤフォンジャック、７：音量調整キー、８：遅延速度調整キー、
９：メモリカード駆動装置、１０：操作キー、１１：ＭＤ駆動装置、
１２・１３：接続端子、３０：マイク付きイヤフォン、３０Ａ：イヤフォン、
３０Ｂ：マイクロフォン、３０Ｃ：電気ケーブル
【図１】
2005156656.tif 000003
【図２】
2005156656.tif 000004
【図３】
2005156656.tif 000005
【図４】
2005156656.tif 000006
【図５】
2005156656.tif 000007
【図６】
2005156656.tif 000008
【図７】
2005156656.tif 000009
【図８】
2005156656.tif 000010